(57)【要約】【課題】炉制御装置からの信号により、火葬炉と葬祭場内の誘導案内表示器を連動して制御する葬祭場管理システムを提供する。【解決手段】葬祭場の事務所等に設置された管理用コンピュータ５は、火葬炉２１を制御する炉制御コンピュータ３からの信号を受信し、信号に連動して、遺族及び参列者に対する各種誘導案内表示器に告別室名、故人名、待合室名、収骨室名やメッセージ等の表示、消去を行う。また、葬祭場の作業員に対しても進行状況モニタ２９を用いて葬祭の進行状況を通知し、作業の効率化を図る。【選択図】  図２
2004355319.tif 000002
【特許請求の範囲】
【請求項１】
誘導案内情報を表示する複数の表示器と、
炉制御装置と、
前記炉制御装置から送られる信号に基づいて、前記複数の表示器の表示内を変更する管理用コンピュータと、
を具備することを特徴とする管理システム。
【請求項２】
前記炉制御装置から送られる信号は、火葬開始信号、火葬終了信号、冷却開始信号、冷却終了信号のうちのいずれかであることを特徴とする請求項１記載の管理システム。
【請求項３】
前記管理用コンピュータは、所定の時刻になると、前記表示器の表示内容を変更することを特徴とする請求項１記載の管理システム。
【請求項４】
誘導案内情報を表示する複数の表示器と、炉制御装置に接続された管理用コンピュータであって、前記炉制御装置から送られる信号に基づいて、前記複数の表示器の内容を変更することを特徴とする管理用コンピュータ。
【請求項５】
前記炉制御装置から送られる信号は、火葬開始信号、火葬終了信号、冷却開始信号、冷却終了信号のうちのいずれかであることを特徴とする請求項４記載の管理用コンピュータ。
【請求項６】
所定の時刻になると、前記表示器の表示内容を変更することを特徴とする請求項４記載の管理用コンピュータ。
【請求項７】
コンピュータを請求項４記載の管理用コンピュータとして機能させるプログラム。
【発明の詳細な説明】
【０００１】
【発明の属する技術分野】
本発明は葬祭場管理システム等に関するものであり、特に、炉制御装置を用いて、火葬炉と葬祭場内の誘導案内表示器を連動して制御するための葬祭管理システム等に関する。
【０００２】
【従来の技術】
葬祭場あるいは結婚式場等における出席者への誘導案内表示は、複数箇所に掲示が必要で、また、進行状況に合わせて案内表示を変更させる必要があるため、無線信号等を用いて、１箇所から案内表示を集中制御するという方法がある。（例えば、特許文献１参照。）
【０００３】
【特許文献１】
特開平７−１４０９２１号公報
【０００４】
【発明が解決しようとする課題】
しかしながら、上記の方法では、作業員が葬祭あるいは結婚式等の進行状況を館内電話あるいは無線電話等を用いて通知し、通知に応答して表示の切り替え等を行う必要があり、手間がかかり非効率的である。
【０００５】
本発明は、このような問題に鑑みてなされたもので、その目的とするところは、炉制御装置からの信号により、火葬炉と葬祭場内の誘導案内表示器を連動して制御する葬祭場管理システムを提供することである。
【０００６】
【課題を解決するための手段】
前述した目的を達成するために本発明は、誘導案内情報を表示する複数の表示器と、炉制御装置と、炉制御装置から送られる信号に基づいて、複数の表示器の表示内容を変更する管理用コンピュータとを具備する管理システムである。
【０００７】
炉制御装置から管理用コンピュータに送られる信号は、火葬開始信号、火葬終了信号、冷却開始信号、冷却終了信号等である。炉制御装置は、火葬炉の状態を制御するための制御装置で、火葬炉の状態遷移に合わせて、信号を管理用コンピュータに送る。管理用コンピュータは、炉制御装置から受信した信号から火葬炉の状態を認識し、葬祭上内に設置された複数の誘導案内表示器の内容を適切に変更する。
【０００８】
管理用コンピュータは、例えば、火葬開始予定時刻の４０分前あるいは２０分前等の所定の時刻になると、これから行われる火葬に関する情報を誘導案内表示器に表示する。
【０００９】
【発明の実施の形態】
以下、図面に基づいて本発明の実施の形態を詳細に説明する。図１は、本発明の１実施の形態に係る葬祭場管理システムを用いた葬祭場の構造を示す図、図２は、本発明の１実施の形態に係る葬祭場管理システム１の概略構成図、図３は、管理用コンピュータ５のハードウェア構成の１例を示す図、図４は、管理用コンピュータ５の記憶装置４５の詳細を示す図である。
【００１０】
図１に示すように、葬祭場は一つ以上のブロック単位で配置されており、各ブロックは、告別式を行う告別室１３−１、１３−２、火葬を行う火葬炉２１−１〜２１−８、火葬後に収骨を行う収骨室１７−１、１７−２、告別式から収骨を行うまでの間、遺族及び参列者が使用する待合室３１−１〜３１−３、火葬炉の集灰作業等の清掃を行う清掃員の控え室２７から構成される。告別室１３−１、１３−２、火葬炉２１−１〜２１−８、収骨室１７−１、１７−２、清掃員控え室２７は葬祭場の１階に、待合室３１−１〜３１−３は２階と３階に配置される。
【００１１】
葬祭場の出入口３７から中に入ってすぐ正面には、当日、葬祭場で行われる全ての告別の案内を表示した告別総合案内表示板１１が設置されている。  遺族及び参列者は、告別総合案内表示板１１により葬祭場全体における現在のブロック位置、参列する告別が行われる告別室名、時間等を確認することができる。
【００１２】
告別案内表示器１３は、現在位置のブロック内の告別室１３−１、１３−２で告別を行う故人名、時間を表示しており、遺族及び参列者は確認後、該当する告別室１３−１、１３−２の中に入る。告別室１３−１、１３−２の前には、それぞれ告別室前故人名表示器１５−１、１５−２が設置されており、遺族及び参列者は告別室１３−１、１３−２に入る前に、故人名を確認することができる。
【００１３】
火葬炉２１−１〜２１−８には、炉前故人名表示器２３−１〜２３−８がそれぞれ設置されており、遺族及び参列者は故人名を確認することができる。
【００１４】
火葬炉２１−１〜２１−８から待合室３１−１〜３１−３に移動するために使用するエレベータ、あるいは階段付近には、待合室総合案内表示板２５が設置されている。待合室総合案内表示板２５は、遺族及び参列者が使用する待合室名、家名等が表示されている。待合室３１−１〜３１−３の前には、それぞれ待合室入口家名表示器３３−１〜３３−３が設置されており、遺族及び参列者は待合室３１−１〜３１−３に入る前に、家名を確認することができる。
【００１５】
待合室３１−１〜３１−３の内部には、それぞれ待合室内ＰＤＰ（Ｐｌａｓｍａ  Ｄｉｓｐｌａｙ  Ｐａｎｅｌ）３５−１〜３５−３が設置されている。待合室内ＰＤＰ３５−１〜３５−３は、火葬して収骨の準備ができるまで、遺族及び参列者が待っている間、ＤＶＤ（Ｄｉｇｉｔａｌ  Ｖｅｒｓａｔｉｌｅ  Ｄｉｓｃ）イメージ画像を表示する。また、火葬の進行状況に合わせてメッセージを表示し、遺族及び参列者に進行状況を知らせる。
【００１６】
収骨室１７−１、１７−２の前には、それぞれ収骨室前故人名表示器１９−１、１９−２が設置されており、遺族及び参列者は故人名を確認することができる。
【００１７】
収骨室１７−１、１７−２の裏及び清掃員控え室２７の内部には、それぞれ進行状況モニタ２９−１、２９−２が設置されている。進行状況モニタ２９−１、２９−２は、炉名、火葬中の故人名、収骨室名、葬祭の進行状況等を表示する。また、進行状況モニタ２９−１、２９−２上には、清掃等の作業状態に応じて押すボタンがあり、ボタンを押すことにより作業の終了等を通知し、他の表示器の表示を更新する。
【００１８】
図２に示すように、本発明に係る葬祭場管理システム１は、火葬炉２１−１〜２１−８に接続された炉制御コンピュータ３と、事務所等に設置される管理用コンピュータ５を有している。
【００１９】
炉制御コンピュータ３は、火葬炉を直接制御する炉制御部と、管理用コンピュータ５と炉制御部のインタフェースとなる炉制御シーケンサから構成されており、火葬炉２１での作業を制御する。また、炉制御コンピュータ３はネットワークにより管理用コンピュータ３に接続されており、火葬炉２１の状態遷移を管理用コンピュータ５に通知する。
【００２０】
管理用コンピュータ５は、ネットワークを介して、告別総合案内表示板１１、告別室案内表示器１３、告別室前故人名表示器１５、収骨室前故人名表示器１９、炉前故人名表示器２３、待合室総合案内表示板２５、待合室入口家名表示器３３、待合室内ＰＤＰ３５、進行状況モニタ２９と接続されており、葬祭場全体の表示器の表示を制御する。
【００２１】
管理用コンピュータ５は、ネットワークを介して、進行状況モニタ２９−１上の収骨準備完了ボタン２１２、収骨室清掃完了ボタン２１４、進行状況モニタ２９−２上の待合室清掃完了ボタン２２２に接続されている。作業員が作業の進行状況に合わせて収骨準備完了ボタン２１２、収骨室清掃完了ボタン２１４、待合室清掃完了ボタン２２２を押し、管理用コンピュータ５に作業の進行状況を通知すると、それに応答して、管理用コンピュータ５は表示器の表示を更新する。
【００２２】
図３に示すように、管理用コンピュータ５は、バス４１により相互接続された制御部４３、記憶装置４５、メディア入出力部４７、入力部４９、印刷部５１、表示部５３、通信部５５を有する。
【００２３】
制御部４３は、プログラムの実行を行うＣＰＵ（Ｃｅｎｔｒａｌ  Ｐｒｏｃｅｓｓｉｎｇ  Ｕｎｉｔ））と、プログラム命令あるいはデータ等を格納するためのＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリから構成される。制御部４３は、管理用コンピュータ５全体の動作を制御する。
【００２４】
メディア入出力部４７は、ＣＤ−ＲＯＭ（Ｃｏｍｐａｃｔ  Ｄｉｓｃ  Ｒｅａｄ  Ｏｎｌｙ  Ｍｅｍｏｒｙ）あるいはＣＤ−ＲＷ（ＣＤ−ＲｅＷｒｉｔａｂｌｅ）、フレキシブルディスク、Ｍ０（Ｍａｇｎｅｔｏｏｐｔｉｃ  Ｄｉｓｃ）等の媒体のドライブで、媒体からのデータの読み出し、媒体へのデータの書き込みを行う。
【００２５】
入力部４９は、キーボード、マウス等の入力装置である。印刷部５１はプリンタで、ユーザからの要求により必要な情報等の印刷を行う。表示部５３は、ＣＲＴ（Ｃａｔｈｏｄｅ−Ｒａｙ  Ｔｕｂｅ）あるいはＬＣＤ（Ｌｉｑｕｉｄ  Ｃｒｙｓｔａｌ  Ｄｉｓｐｌａｙ）等の表示装置である。
【００２６】
通信部５５は、管理用コンピュータ５の外部と通信を行うインタフェースとなる部分で、インターネットあるいは電話回線等に接続されている。通信部５５は、外部のネットワークを介してメールの送受信を行ったり、電話回線を介してＦＡＸの送受信を行う。
【００２７】
記憶装置４５は、管理用コンピュータ５の動作に必要となるプログラム、データ等を保存している。図４に示すように、記憶装置４５は、ＯＳ（Ｏｐｅｒａｔｉｎｇ  Ｓｙｓｔｅｍ）６１、葬祭場管理プログラム６３、予約情報ファイル６５、設備予約状況ファイル６７、進行状況ファイル６９、火葬明細ファイル７１等を有する。葬祭場管理プログラム６３は、葬祭場の表示器の表示を制御するためのプログラムである。
【００２８】
次に、図５、６、７、８、９、１０、１１、１２、１３、１４、１５を参照しながら、本発明に係る葬祭場管理システム１の動作を説明する。図５は、本発明に係る葬祭場管理システム１が火葬炉の状態遷移と連動して各表示器の表示を制御する動作を示すフローチャート、図６は、本発明に係る葬祭場管理システム１における各表示器の表示内容を示すフローチャート、図７は、告別総合案内表示板１１の表示の１例を示す図、図８は、告別室案内表示器１３の表示の１例を示す図、図９は、炉前故人名表示器２３の表示の１例を示す図、図１０は、待合室総合案内表示板２５の表示の１例を示す図、図１１は、待合室入口家名表示器３３の表示の１例を示す図、図１２は、待合室内ＰＤＰ３５の表示の１例を示す図、図１３は、進行状況モニタ２９−１の表示の１例を示す図、図１４は、進行状況モニタ２９−２の表示の１例を示す図、図１５は、事務所に設置される図示しない進行状況モニタの表示の１例を示す図である。
【００２９】
火葬開始４０分前というような予め設定された表示開始のタイミングになると、管理用コンピュータ５の制御部４３は告別総合案内表示板１１、告別室案内表示板１３、告別室前故人名表示器１５、炉前故人名表示器２３、待合室総合案内表示板２５、待合室入口家名表示器３３、進行状況モニタ２９を表示する（ステップ１０１）。
【００３０】
図７に示すように、告別総合案内表示板１１の表示１５０は、ブロック毎に出入口３７付近に設置される白色ＬＥＤ（Ｌｉｇｈｔ−Ｅｍｉｔｔｉｎｇ  Ｄｉｏｄｅ）表示で、葬祭場全体の告別を行う故人名、告別室名、告別予定時間と、現在位置を示した葬祭場全体の案内図を表示する。図８に示すように、告別室案内表示器１３は白色ＬＥＤで、現在位置のブロック内で行われる告別の告別室名、故人名、告別予定時間を表示する。
【００３１】
告別室１３−１〜１３−３の入口付近に設置される告別室前故人名表示器１５−１〜１５−３は、例えば１９インチ液晶モニタで、告別を行う故人名を表示する。図９に示すように、火葬炉２１−１〜２１−８に設置された各炉前故人名表示器２３−１〜２３−８は蛍光表示管で、火葬を行う故人の故人名を表示する。
【００３２】
ブロック毎に設置される待合室総合案内表示板２５は白色ＬＥＤ表示で、図１０に示すように、現在位置のブロック内の待合室の割り当て等の情報を表示する。待合室総合案内表示板２５の表示１８０は、遺族及び参列者が使用する待合室名、故人名、告別予定時間と、ブロック内の待合室の案内図を表示する。
【００３３】
図１１に示すように、待合室３１−１〜３１−３の入り口付近に設置される待合室入口家名表示器３３−１〜３３−３は白色ＬＥＤ表示で、待合室名と家名を表示する。
【００３４】
収骨室１７−１、１７−２の裏に設置される進行状況モニタ２９−１は、例えば１５インチタッチパネルで、図１３に示すようにブロック毎に炉名、故人名、待合室名、収骨室名、火葬の進行状況を表示している。火葬の進行状況としては、火葬前の状況である「待機中」、炉内で火葬が行われている状態である「火葬中」、収骨の準備中である「準備中」、収骨を行っている状態である「収骨中」、待合室の清掃を行っている状態である「清掃中」の５種類がある。進行状況モニタ２９−１の表示開始時、火葬の進行状況は「待機中」と表示する。
【００３５】
進行状況モニタ２９−１は、火葬の進行状況を変更するためのボタンとして、収骨準備完了ボタン２１２と収骨室清掃完了ボタン２１４を有する。収骨準備完了ボタン２１２は、火葬の進行状況が「火葬中」から「準備中」になった時に有効となる。作業員による収骨準備が完了した時点で、作業員が収骨準備完了ボタン２１２を押すと、火葬の進行状況は「収骨中」となる。  収骨室清掃完了ボタン２１４は、火葬の進行状況が「準備中」から「収骨中」に遷移した時に有効となる。遺族及び参列者による収骨が終了し、作業員が収骨室１７の清掃を終了した時点で、作業員が収骨室清掃完了ボタン２１４を押すと、火葬の進行状況は「清掃中」となる。
【００３６】
清掃員控え室２７の内部に設置された進行状況モニタ２９−２は、例えば１５インチタッチパネルで、図１４に示すようにブロック毎に炉名、故人名、待合室名、経過時間、収骨室名、火葬の進行状況を表示している。火葬の進行状況としては、火葬前の状況である「待機中」、炉内で火葬が行われている状態である「火葬中」、収骨の準備中である「準備中」、収骨を行っている状態である「収骨中」、待合室の清掃を行っている状態である「清掃中」の５種類がある。進行状況モニタ２９−２の表示開始時、火葬の進行状況は「待機中」と表示する。
【００３７】
進行状況モニタ２９−２は、火葬の進行状況を変更するためのボタンとして、待合室清掃完了ボタン２２２を有する。待合室清掃完了ボタン２２２は、火葬の進行状況が「収骨中」から「清掃中」になった時に有効となる。作業員による清掃が終了した時点で、作業員が待合室清掃完了ボタン２２２を押すと、対応する告別の各表示器の表示は全て更新される。
【００３８】
また、図１５に示すように、図示しない事務所等に設置される進行状況モニタは、例えばコンピュータに接続された１９インチ液晶モニタで、葬祭場全体の火葬の進行状況、あるいは、当日の火葬予定を表示する。進行状況モニタ表示２３０上の進行状況ボタン２３２、本日の火葬予定ボタン２３４を押すことにより、火葬の進行状況、当日の火葬予定の表示の切り替えを行う。火葬の進行状況表示２３０では、葬祭場全体の炉名、故人名、待合室名、経過時間、収骨室名、火葬の進行状況を表示する。火葬の進行状況の表示内容は、進行状況モニタ２９−１、２９−２と同じである。
【００３９】
各表示器の初期表示後、例えば火葬開始２０分前のような予め設定された表示開始タイミングで、待合室３１−１〜３１−３の内部の壁面に設置された待合室内ＰＤＰ３５−１〜３５−３の電源を投入し、表示を開始する（ステップ１０２）。この時、同時に告別室１３、待合室３１等の空調、照明制御を開始するようにしてもよい。
【００４０】
図１２に示すように、待合室３１−１〜３１−３内の壁面に設置される待合室内ＰＤＰ３５−１〜３５−３は、例えば５０インチプラズマディスプレイで、初期状態ではＤＶＤイメージ映像を表示する。火葬の進行状況に合わせて、待合室内で待っている遺族及び参列者に対するメッセージを表示する。
【００４１】
告別式終了後、故人の遺体を割り当てられた火葬炉２１−１〜２１−８の一つに運び火葬の準備ができると、炉制御コンピュータ３の炉制御部は、対応する火葬炉２１−１〜２１−８に火葬開始信号を送り。火葬を開始する。また、炉制御コンピュータ３の炉制御部は管理用コンピュータ５に火葬開始信号を送り、火葬を開始したことを通知する（ステップ１０３）。
【００４２】
火葬開始信号を受信すると、管理用コンピュータ５の制御部４３は告別総合案内表示板１１、告別室案内表示板１３の対応する故人名、告別室名、告別予定時間の表示を終了し、進行状況モニタ２９−１、２９−２の対応する火葬の進行状況を「待機中」から「火葬中」に更新する。また、管理用コンピュータ５の制御部４３は、告別室前故人名表示器１５の故人名の表示を終了する（ステップ１０４）。
【００４３】
炉制御コンピュータ３の炉制御部は、火葬炉２１−１〜２１−８から火葬終了信号を受信すると、火葬炉２１−１〜２１−８と管理用コンピュータ５に冷却開始信号を送る（ステップ１０５）。
【００４４】
火葬炉２１−１〜２１−８での前室冷却終了後、炉制御コンピュータ３の炉制御部は、火葬炉２１−１〜２１−８から冷却終了信号を受信すると、管理用コンピュータ５に冷却終了信号を送り、火葬炉２１−１〜２１−８の冷却が終了したことを通知する（ステップ１０６）。
【００４５】
管理用コンピュータ５の制御部４３は、炉制御コンピュータ３からの冷却終了信号を受信すると、図１２に示すように、遺族及び参列者が待機している待合室３１−１〜３１−３内の待合室内ＰＤＰ３５−１〜３５−３に、「もうすぐ火葬が終了します。」というメッセージを約１分間表示する。約１分間経過後、管理用コンピュータ５の制御部４３は、待合室内ＰＤＰ３５−１〜３５−３上にＤＶＤイメージ映像を表示する。また、管理用コンピュータ５の制御部４３は、炉制御コンピュータ３からの冷却終了信号受信後、進行状況モニタ２９−１、２９−２の対応する火葬の進行状況を「火葬中」から「準備中」に更新して表示する（ステップ１０７）。この時、同時に図示しない運転室控え室、売店のチャイムや、待合室ＰＤＰチャイムを鳴らすようにしてもよい。
【００４６】
作業員による収骨準備が完了し、作業員は収骨室１７の裏に設置された進行状況モニタ２９−１上の収骨準備完了ボタン２１２を押すと、進行状況モニタ２９−１は管理用コンピュータ５に通知する（ステップ１０８）。
【００４７】
管理用コンピュータ５の制御部４３は、遺族及び参列者が待機している待合室３１−１〜３１−３内の待合室内ＰＤＰ３５−１〜３５−３上に「係員がご案内に伺います。しばらくそのままお待ちください。」というメッセージを約５分間表示する。約５分経過後、管理用コンピュータ５の制御部４３は、待合室内ＰＤＰ３５−１〜３５−３の表示を終了する。進行状況モニタ２９−１、２９−２の対応する火葬の進行状況は、「準備中」から「収骨中」に更新して表示する。また、管理用コンピュータ５の制御部４３は収骨を行う収骨室１７−１、１７−２の前に設置された収骨室前故人名表示器１９−１、１９−２を表示する（ステップ１０９）。収骨室前故人名表示器１９−１、１９−２は、例えば１９インチ液晶モニタで、収骨を行う故人の故人名を表示する。この時、同時に清掃員控え室２７及び待合室ＰＤＰ３５−１〜３５−３のチャイムを鳴らすようにしてもよい。
【００４８】
遺族及び参列者による収骨が完了後、作業員による清掃が終了し、作業員が進行状況モニタ２９−１上の収骨室清掃完了ボタン２１４を押すと、進行状況モニタ２９−１は管理用コンピュータ５に通知する（ステップ１１０）。
【００４９】
管理用コンピュータ５の制御部４３は、進行状況モニタ２９−１、２９−２の対応する火葬の進行状況を「収骨中」から「清掃中」に更新し、収骨室前故人名表示器１９の表示を終了する（ステップ１１１）。
【００５０】
作業員による待合室３１の清掃が終了し、作業員が進行状況モニタ２９−２上の待合室清掃完了ボタン２２２を押すと、進行状況モニタ２９−２は管理用コンピュータ５に通知する（ステップ１１２）。管理用コンピュータ５の制御部４３は、対応する炉前故人名表示器２３、待合室入口家名表示器３３、進行状況モニタ２９−１、２９−２の表示を終了し、待合室総合案内表示板２５の表示を更新する（ステップ１１３）。
【００５１】
本実施形態によれば、葬祭場の管理用コンピュータは火葬炉を制御する炉制御コンピュータと連動して、遺族及び参列者に対する各種誘導案内表示を自動的に表示、更新することが可能となる。
【００５２】
また、進行状況モニタを用いて清掃員、運転者等の葬祭場の作業員に対して葬祭の進行状況を逐次表示することで、作業の効率化、円滑な運営を図ると共に、遺族や参列者の目に触れないように配慮することもできる。
【００５３】
さらに、表示器への表示と運動して空調、照明の自動制御を行うことにより、省エネルギー及び省人化を行うことができる。
【００５４】
以上、添付図面を参照しながら本発明に係る葬祭場管理システムの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【００５５】
例えば、進行状況モニタ上での表示に加えて、構内ＰＨＳ（Ｐｅｒｓｏｎａｌ  Ｈａｎｄｙｐｈｏｎｅ）を利用して、作業員に収骨の案内や清掃指示をメールにて伝達するようにしてもよい。
【００５６】
また、葬祭だけではなく、結婚式や学会等の催しを行う式場、ホテル等においても、進行状況に連動して各種表示器の表示を行うようにしてもよい。
【００５７】
【発明の効果】
以上、説明したように本実施によれば、炉制御装置からの信号により、火葬炉と葬祭場内の誘導案内表示器を連動して制御する葬祭場管理システムを提供することができる。
【図面の簡単な説明】
【図１】本発明の１実施の形態に係る葬祭場管理システムを用いた葬祭場の構造を示す図
【図２】本発明の１実施の形態に係る葬祭場管理システム１の概略構成図
【図３】管理用コンピュータ５のハードウエア構成の１例を示す図
【図４】管理用コンピュータ５の記憶装置４５の詳細を示す図
【図５】本発明に係る葬祭場管理システム１が火葬炉の状態遷移と運動して各表示器の表示を制御する動作を示すフローチャート
【図６】本発明に係る葬祭場管理システム１における各表示器の表示内容を示すフローチャート
【図７】告別総合案内表示板１１の表示の１例を示す図
【図８】告別室案内表示器１３の表示の１例を示す図
【図９】炉前故人名表示器２３の表示の１例を示す図
【図１０】待合室総合案内表示板２５の表示の１例を示す図
【図１１】待合室入口家名表示器３３の表示の１例を示す図
【図１２】待合室内ＰＤＰ３５の表示の１例を示す図
【図１３】進行状況モニタ２９−１の表示の１例を示す図
【図１４】進行状況モニタ２９−２の表示の１例を示す図
【図１５】事務所に設置される図示しない進行状況モニタの表示の１例を示す図
【符号の説明】
１  葬祭場管理システム
３  炉制御コンピュータ
５  管理用コンピュータ
１１  告別総合案内表示板
１３  告別室前表示器
１５  告別室前故人名表示器
１９  収骨室前故人名表示器
２３  炉前故人名表示器
２９  進行状況モニタ
２５  待合室総合案内表示板
３３  待合室入口家名表示器
３５  待合室内ＰＤＰ
２１２  収骨準備完了ボタン
２１４  収骨室清掃完了ボタン
２２２  待合室清掃完了ボタン
【図１】
2004355319.tif 000003
【図２】
2004355319.tif 000004
【図３】
2004355319.tif 000005
【図４】
2004355319.tif 000006
【図５】
2004355319.tif 000007
【図６】
2004355319.tif 000008
【図７】
2004355319.tif 000009
【図８】
2004355319.tif 000010
【図９】
2004355319.tif 000011
【図１０】
2004355319.tif 000012
【図１１】
2004355319.tif 000013
【図１２】
2004355319.tif 000014
【図１３】
2004355319.tif 000015
【図１４】
2004355319.tif 000016
【図１５】
2004355319.tif 000017